(57)【要約】【課題】ハウジングの機械的強度の低下を抑制してハーフミラーの検査を可能とする機構が設けられた光ピックアップ装置を提供する。【解決手段】光ピックアップ装置１０では、射出成形された樹脂材料から成るハウジング１２の内部に各種光学素子が収納されている。光学素子の１つであるハーフミラー２２の露出部３２は、ハウジング１２の底面部３４から外部に露出している。露出している３２の反射面は、ハウジング１２の底面部３４を外側から溝状に窪ませた溝部３０を経由して外部に面している。ハーフミラー２２の据付角度を確認する際には、溝部３０を経由してオートコリメータからの光線をハーフミラー２２に照射する。【選択図】図１
2011248938.tif 000002
【特許請求の範囲】
【請求項１】
光記録媒体にレーザー光を放射し、前記光記録媒体で反射した前記レーザー光を検出する光ピックアップ装置であり、
底面部と側面部とを有し、内部の所定位置に光学素子が収納されたハウジングと、
前記ハウジングに収納されると共に、前記底面部から一端部分が外部に露出するミラーと、
前記ハウジングの前記底面部を、外周端部から前記ミラーの前記一端部分に到るまで連続して除去した除去領域と、
を備えることを特徴とする光ピックアップ装置。
【請求項２】
前記溝部は、前記ミラーの反射面に対して平面視で直角に延在することを特徴とする請求項１に記載の光ピックアップ装置。
【請求項３】
前記ミラーが設けられる箇所の前記ハウジングの前記底面部を、前記ミラーの前記一端部分が前記溝に向かって露出する状態で、外側から保護する保護部を有することを特徴とする請求項１または請求項２に記載の光ピックアップ装置。
【請求項４】
前記溝部の深さを、前記底面部の厚みよりも浅くすることを特徴とする請求項１から請求項３の何れかに記載の光ピックアップ装置。
【請求項５】
前記ミラーの前記一端部分が含まれる側面は、前記底面部の外側の主面と同一平面上に位置することを特徴とする請求項１から請求項４の何れかに記載の光ピックアップ装置。
【請求項６】
前記ミラーはハーフミラーであることを特徴とする請求項１または請求項５の何れかに記載の光ピックアップ装置。
【請求項７】
前記除去領域は、外側に面する前記ハウジングの前記底面部を、外周端部から前記ミラーの前記一端部分に到るまで連続して溝状に窪ませた溝部であることを特徴とする請求項１から請求項６の何れかに記載の光ピックアップ装置。
【請求項８】
前記除去領域は、外周端部から前記ミラーの前記一端部分に到るまでの前記底面部を除去して形成されたスリットであることを特徴とする請求項１から請求項６の何れかに記載の光ピックアップ装置。
【請求項９】
光記録媒体にレーザー光を放射し、前記光記録媒体で反射した前記レーザー光を検出する光ピックアップ装置の製造方法であり、
底面部と側面部とを有するハウジングにミラーを含む光学素子を収納する工程と、
前記ハウジングの内部に於ける前記ミラーの位置を検査する工程と、を備え、
前記収納する工程では、前記ミラーの一端部分を前記ハウジングの前記底面部から外側に露出させ、
前記検査する工程では、前記ハウジングの外周端部から前記ミラーの前記一端部分に到るまで連続して前記底面部を除去して設けられた除去領域を経由して、前記ミラーの前記一端部分にオートコリメータから光線を照射し、前記ミラーの前記一端部分で反射した前記光線を前記オートコリメータで受光することにより、前記ミラーの角度を検査することを特徴とする光ピックアップ装置の製造方法。
【発明の詳細な説明】
【技術分野】
【０００１】
本発明は、光ピックアップ装置およびその製造方法に関する。特に本発明は、ハウジングに複数の光学素子が内蔵された光ピックアップ装置およびその製造方法に関する。
【背景技術】
【０００２】
光ピックアップ装置は、発光素子から放射される所定の波長のレーザー光を光ディスクに照射し、光ディスクの情報記録層で反射したレーザー光を受光素子で検出する機能を備えている（特許文献１）。このことにより、光ディスクに対して、情報の読取動作または書込み動作を行うことができる。また、光ピックアップ装置を構成する発光素子、受光素子、ハーフミラー等の光学素子は、樹脂材料を一体成型したハウジングに内蔵される。このようにすることで、光ピックアップ装置は多数個の光学素子が一体化された状態となる。
【０００３】
図５は、従来から存在する光ピックアップ装置１００を部分的に示す斜視図である。この図に示すように、光ピックアップ装置１００では、ハウジング１０２の内部の所定箇所に、ハーフミラー１０４等の光学素子が固着されている。
【０００４】
このような構成の光ピックアップ装置の製造方法は次のとおりである。先ず、発光素子、受光素子、各種レンズおよびミラー等の光学素子をハウジング１０２の所定位置に収納する。次に、発光素子からレーザー光を放射させ、放射されるレーザー光が受光素子の所定の受光領域に照射されるように調整を行う。この調整としては、受光素子をハウジング１０２に対して仮止めし、発光素子から発光されるレーザー光が受光素子の所定の受光領域に適切に照射されるように、受光素子を移動させる方法がある。または、発光素子と受光素子との間に、光路を傾斜させる光路変更素子を介装し、この光路変更素子の位置を調整する方法もある。
【０００５】
また、ハーフミラー１０４はハウジングの所定領域に収納されることでその位置が決定されるが、上記した組立作業が終了した後に、ハーフミラー１０４が所定の位置に所定の角度で配置されたか否かを確認する必要がある。ハーフミラー１０４は接着材等の接着手段を介してハウジング１０２に固着されているので、ハーフミラー１０４の角度および位置に誤差が含まれ、この誤差がある値以上となると、ハーフミラー１０４により反射されるレーザー光の進行方向が光軸から大きくずれ、不良と成る。
【０００６】
ハーフミラーの取り付け角度を確認するための方法として、外部からハーフミラーに光線を照射し、反射した光線が光源から離れる度合いを確認する方法がある。しかしながら、この方法を用いて、光学素子のハウジングへの組み込みが終了した後に、ハーフミラー１０４の角度を確認することは容易ではない。この理由は、ハーフミラーを含む殆どの光学素子は、遮光性の樹脂材料から成るハウジングに内蔵され、外部からハーフミラーに至る光路が遮断されるからである。
【０００７】
そこで、従来では、ハウジング１０２の側壁部の端部を部分的に切り欠いて凹状部分１０６を設け、この凹状部分１０６を経由して外部から光線をハーフミラー１０４に照射している。このようにすることで、組み立て後であっても、ハーフミラーの取り付け角度を外部から検査することができる。
【先行技術文献】
【特許文献】
【０００８】
【特許文献１】特開２００５−２１６４３６号公報
【発明の概要】
【発明が解決しようとする課題】
【０００９】
しかしながら、ハウジング１０２の側面部の上端を切り欠いて凹状部分１０６を形成すると、この凹状部分１０６が設けられた箇所の強度が弱く成る問題があった。具体的には、樹脂の一体成型品であるハウジング１０２は、周囲に設けられた側壁部によりその剛性が確保されている。従って、剛性を担う側壁部を部分的に欠いて凹状部分１０６を設けると、凹状部分１０６が設けられた部分の剛性が局所的に低下してしまう。そして、使用状況下にてハウジング１０２に曲げ応力等の外力が作用した場合、凹状部分１０６が設けられた箇所でハウジング１０２が変形する等の恐れがある。
【００１０】
更には、凹状部分１０６が起点となり、ハウジング１０２の側壁部にクラックが発生してしまう恐れもあった。
【００１１】
本発明はこの様な問題点を鑑みて成されたものであり、本発明の目的は、ハウジングの機械的強度の低下を抑制してハーフミラーの検査を可能とする機構が設けられた光ピックアップ装置およびその製造方法を提供することにある。
【課題を解決するための手段】
【００１２】
本発明の光ピックアップ装置は、光記録媒体にレーザー光を放射し、前記光記録媒体で反射した前記レーザー光を検出する光ピックアップ装置であり、底面部と側面部とを有し、内部の所定位置に光学素子が収納されたハウジングと、前記ハウジングに収納されると共に、前記底面部から一端部分が外部に露出するミラーと、前記ハウジングの前記底面部を、外周端部から前記ミラーの前記一端部分に到るまで連続して除去した除去領域と、を備えることを特徴とする。
【００１３】
本発明の光ピックアップ装置の製造方法は、光記録媒体にレーザー光を放射し、前記光記録媒体で反射した前記レーザー光を検出する光ピックアップ装置の製造方法であり、底面部と側面部とを有するハウジングにミラーを含む光学素子を収納する工程と、前記ハウジングの内部に於ける前記ミラーの位置を検査する工程と、を備え、前記収納する工程では、前記ミラーの一端部分を前記ハウジングの前記底面部から外側に露出させ、前記検査する工程では、前記ハウジングの外周端部から前記ミラーの前記一端部分に到るまで連続して前記底面部を除去して設けられた除去領域を経由して、前記ミラーの前記一端部分にオートコリメータから光線を照射し、前記ミラーの前記一端部分で反射した前記光線を前記オートコリメータで受光することにより、前記ミラーの角度を検査することを特徴とする。
【発明の効果】
【００１４】
本発明によれば、ハウジングの底部の外側側面を溝状に窪ませることで、検査のためにミラーの主面に照射される光線が通過するための経路を確保している。ハウジングの底部を部分的に溝状に窪ませることにより、ハウジング全体の機械的強度は若干低下する。しかしながら、ハウジングの側面部を部分的に欠いた従来例を比較すると、光線の通路を確保することによるハウジングの剛性低下が抑制される。
【００１５】
更に本発明によれば、ミラーの一側辺全体をハウジングから外部に露出させるのではなく、検査のために必要される最小限の部分のハーフミラーを外部に露出させ、他の領域は遮光性の材料からなる保護部により被覆されている。従って、ミラーの検査のために設けられた開口部からハウジングの内部に多くの光が侵入することが防止される。
【図面の簡単な説明】
【００１６】
【図１】本発明の光ピックアップ装置を示す図であり、（Ａ）は斜視図あり、（Ｂ）は要所を拡大して示す斜視図であり、（Ｃ）は拡大された断面図である。
【図２】（Ａ）は本発明の光ピックアップ装置を部分的に示す斜視図であり、（Ｂ）はその断面図であり、（Ｃ）は比較例の光ピックアップ装置の部分的な断面図である。
【図３】本発明の光ピックアップ装置に内蔵される光学素子を示す図である。
【図４】本発明の光ピックアップ装置の製造工程に含まれる検査工程を示す図であり、（Ａ）はオートコリメータを示す図であり、（Ｂ）は検査工程での光ピックアップ装置を示す図である。
【図５】背景技術の光ピックアップ装置を示す斜視図である。
【発明を実施するための形態】
【００１７】
＜第１の形態：光ピックアップ装置の構成＞
図１から図３を参照して、本形態の光ピックアップ装置の構成を説明する。これらの中でも特に図３は光ピックアップ装置１０に内蔵される光学素子を示す図である。
【００１８】
以下の説明に於いて、光ピックアップ装置１０のハウジングに備えられる素子を光学素子と称する。そして、これらの光学素子の中でも発光素子や受光素子のように電流が通過するものを光学電子部品を称し、ハーフミラーや対物レンズの様に電流が通過しない光学素子を光学部品と称する場合もある。一例を説明すると、図３を参照して、ＰＤＩＣ５０、７４、レーザー装置５８、７８は光学電子部品であり、ＡＳ板７３、ハーフミラー２２、７０、回折格子５６、コリメートレンズ６０、７２、立ち上げミラー６２、３３、対物レンス５２、６６は光学部品である。
【００１９】
図１を参照して、先ず、光ピックアップ装置１０を説明する。図１（Ａ）は光ピックアップ装置１０を上方から見た斜視図であり、図１（Ｂ）はハーフミラー２２を検査するための溝部３０（除去領域）が設けられた箇所を拡大して示す斜視図であり、図１（Ｃ）はハーフミラー２２が設けられた部分を拡大して示す側面図である。
【００２０】
光ピックアップ装置１０は、ＢＤ（Blu-ray Disc）、ＤＶＤ（Digital Versatile Disk）またはＣＤ（Compact Disk）規格のレーザー光を、光ディスク（情報記録媒体）の情報記録層に合焦させ、この情報記録層からの反射光を受光して電気信号に変換する機能を備えている。光ピックアップ装置１０は、例えば、ＢＤ用の発光チップ、ＤＶＤ用およびＣＤ用の発光チップを内蔵している。ここで、光ピックアップ装置１０は必ずしも３種類の規格のレーザー光に対応する必要はなく、１つまたは２つの規格に対応したレーザー光に対応するタイプでも良い。
【００２１】
光ピックアップ装置１０の具体的構成は、樹脂材料から成るハウジング１２と、このハウジング１２に内蔵された各種光学素子を備えている。また、ここには図示されていないが、ハウジング１２の上面（底面部３４）には、対物レンズを移動可能に保持するアクチュエータと、光学電子部品と電気的に接続された配線が設けられた基板と、入出力端子として機能するコネクタとが配置される。ハウジング１２に内蔵される光学素子の詳細は図３を参照して後述する。
【００２２】
ハウジング１２は、射出成形で一体的に形成された樹脂材料から成り、底面部３４と底面部から厚み方向に立設された側面部３６とを備えている。ここで、ハウジング１２の側面部３６は、底面部３４の外周端部から厚み方向に突出する第１側面部と、底面部３４の内部領域から厚み方向に突出する第２側面部とを備えている。
【００２３】
ハウジング１２を構成する樹脂材料としてはポリカーボネート、変性ＰＰＥ、ＡＢＳ樹脂等が採用される。ハウジングの概略的構成は図５に示した従来型と同様であり、多数個の光学素子が収納される凹状の収納領域が、ハウジング１２の下方から窪むように設けられている。
【００２４】
ハウジング１２の両端部分には、ガイド孔１４とガイド溝１６が設けられている。使用状況下に於いては、ガイド孔１４にはガイド軸が挿通され、ガイド溝１６には別のガイド軸が係合される。そして、光ピックアップ装置１０は、これらのガイド軸に沿って移動する。
【００２５】
ハウジング１２の底面部３４を部分的に開口することにより開口部２４、２６が形成されている。開口部２４、２６は、ハウジング１２の内部空間と外部とを連通させる部位である。開口部２４、２６を経由して、ハウジング１２に内蔵された発光素子から放射された光が、光学部品を介して外部に位置する光ディスクの情報記録層に照射される。また、光ディスクの情報記録層で反射した戻り光であるレーザー光は、開口部２４、２６を経由して、ハウジング１２に内蔵された受光素子（ＰＤＩＣ）に照射される。
【００２６】
本形態では、ＢＤ用、ＤＶＤとＣＤ用の２つの光学系（光路）がハウジング１２に内蔵され、それぞれの光学系に対応した対物レンズがハウジング１２の上面に設けられる。従って、それぞれの光学系に対応して２つの開口部２４、２６が配置されている。ハウジング１２に内蔵される光学素子の詳細は、図３を参照して後述する。
【００２７】
ハウジング１２の側面部３６（第１の側面部）には、２つの固定板１８、２０が配置されている。これらの固定板１８、２０の内側の主面には、レーザー光を受光するＰＤＩＣ（受光素子）が固着されている。ここで、ＰＤＩＣは、透明樹脂で封止されたものでも良いし、所謂ＣＡＮパッケージが採用されたものでも良い。
【００２８】
図１（Ｂ）および図１（Ｃ）を参照して、本形態の光ピックアップ装置１０では、光学部品の一つであるハーフミラー２２を、部分的にハウジング１２の底面部３４から外部に露出させている。
【００２９】
具体的には、先ず、ハーフミラー２２はレーザー光を透過または反射させる板状の光学部品である。そして、ハーフミラー２２は、その反射面がハウジング１２の底面部３４に対して実質垂直状態となるように、ハウジング１２の内部に固着されている。一般的には、ハーフミラー２２の反射面は、レーザー光の光軸に対して平面視で４５度の角度で交差するように、その角度が設定されている。
【００３０】
本形態では、ハーフミラー２２の端部の一部分を露出部３２として、ハウジング１２の底面部３４から外部に露出させている。このようにすることで、光ピックアップ装置を製造する最終段階にて、外部からハーフミラー２２に光線を照射して、その位置を容易に確認できる。
【００３１】
更に本形態では、ハウジング１２の底面部３４を外側から溝状に窪ませて溝部３０を設けている。この溝部３０は、ハーフミラー２２の露出部３２からハウジング１２の外周縁部まで連続して直線的に形成されている。更に、平面視で、溝部３０が伸びる方向は、ハーフミラー２２の反射面に対して直角である。ここで、溝部３０の断面形状は四角形状以外でもよく、例えばＵ字形状またはＶ字形状等でも良い。
【００３２】
図１（Ｃ）を参照して、ハーフミラー２２の上側の端部側辺は、ハウジング１２の底面部３４の主面と同一平面上に配置されている。このようにすることで、溝部３０に露出する露出部３２の面積が大きく成り、後の検査工程が容易となる。ここで、ハーフミラー２２の上側の端部側辺は、必ずしもハウジング１２の底面部３４の主面と同一平面上に配置される必要は無い。例えば、ハーフミラー２２の上側の端部側辺を底面部３４の外面から外部に突出させても良いし、ハーフミラー２２の上側の端部側辺を底面部３４の外面よりも内側に配置しても良い。
【００３３】
保護部２８は、底面部３４の一部を上方に突起させた部位である。保護部２８の内側の面で、露出部３２として外部に露出する部分以外のハーフミラー２２の上側の端部を被覆している。保護部２８を含むハウジング１２の材料は、遮光性の樹脂材料である。従って、ガラス等の透光性材料からなるハーフミラー２２を透過して、ハウジング１２の内部に外部から光が侵入することが抑止される。
【００３４】
更には、ガラス等の脆い材料からなるハーフミラー２２の露出部分を保護部２８で被覆することにより、製造工程の途中段階または使用状況下で外力が光ピックアップ装置１０に作用しても、この外力によるハーフミラー２２の破損が防止される。
【００３５】
図２を参照して、上記した溝部３０に関して更に説明する。図２（Ａ）は溝部３０が設けられた箇所の光ピックアップ装置１０の斜視図であり、図２（Ｂ）は溝部３０が設けられた箇所（図２（Ａ）でのＢ線）の断面図であり、図２（Ｃ）は溝部３０が他の箇所に設けられた場合を示す比較例の断面図である。
【００３６】
上記したように、溝部３０はハウジング１２の底面部３４を溝状に窪ませた凹状領域である。本形態では、ハーフミラー２２の位置を確認するための光線が通過する溝部３０（除去領域）を、底面部３４に設けることにより、ハウジング１２の剛性低下を最小に留めている。
【００３７】
具体的には、図２（Ａ）および図２（Ｂ）を参照して、溝部３０をハウジング１２に設けることにより、これを設けない場合と比較して、ハウジング１２の曲げ剛性は若干低下する。しかしながら、溝部３０は底面部３４の断面全体に渡って設けられるのではなく、底面部３４の断面に対して部分的に設けられている。即ち、図２（Ｂ）を参照して、溝部３０が設けられている箇所であっても、底面部３４の肉厚部分が残っている。
【００３８】
このことから、溝部３０が設けられて面積が減少しても、溝部３０が形成されていない底面部３４の他の部分で剛性が確保される。従って、溝部３０が設けられた箇所の曲げ剛性は、側面部３６の高さｈ１の３乗に比例した値に近似したものが得られる。このことから、溝部３０が設けられた箇所の曲げ剛性は、それ以外の箇所の曲げ剛性と概略的に同等である。
【００３９】
ここで、ハーフミラー２２の位置確認を可能とする構造としては、上記した溝３０以外の構造でも良い。即ち、図２（Ｂ）に於いて溝部３０が設けられる領域の底面部３４を厚み方向に全て除去してスリット状の除去領域を設けても良い。
【００４０】
図２（Ｃ）を参照して、従来例の様に側面部３６の下端に開口部３１を設ける方法も考えられる。しかしながら、この構成であると、開口部３１が設けられた断面に於いて、曲げ剛性に寄与する側面部３６が失われてしまう。従って、この断面での曲げ剛性は、開口部３１の部分だけ短くなった側面部３６の高さｈ２の３乗に比例した値となってしまう。このことから、開口部３１の高さが側面部３６の高さに対して短いとしても、開口部３１が設けられることにより曲げ剛性が大きく低下することとなる。また、ハウジング１２に対して曲げ応力が作用した際に、図２（Ｃ）に示した開口部３１が起点となりクラックが発生してしまう恐れがある。
【００４１】
以上のことにより、溝部３０を設ける箇所としては底面部３４の上面が最適である。
【００４２】
図３を参照して、光ピックアップ装置１０のハウジングに収納される光学素子を説明する。先ず、光ピックアップ装置１０は、ＢＤ規格のレーザー光の光路である第１光学系８０と、ＤＶＤ規格およびＣＤ規格のレーザー光の光路である第２光学系８２を含む。尚、光ピックアップ装置１０に備えられる光学系は必ずしも２つである必要はなく、１つの光学系をこれら３つの規格で共用しても良い。
【００４３】
先ず、ＢＤ規格の第１光学系８０は、レーザー装置５８と、回折格子５６と、ハーフミラー２２と、コリメートレンズ６０と、立ち上げミラー６２と、対物レンズ５２と、ＡＳ板７３と、ＰＤＩＣ５０とを含んでいる。
【００４４】
レーザー装置５８は、ＢＤ規格のディスク６４に照射されるレーザー光を放射する発光素子をパッケージ化したものである。ここで、レーザー装置５８は、所謂ＣＡＮタイプのパッケージでも良いし、リードフレーム型のパッケージでも良い。
【００４５】
回折格子５６は、レーザー装置５８から放射されるレーザー光を０次回折光、＋１次回折光及び−１次回折光に分離する機能を有する。
【００４６】
ハーフミラー２２は、レーザー装置５８から放射されて回折格子５６を経由するレーザー光を反射する一方、ディスク６４により反射されたレーザー光（戻り光）を透過させる。
【００４７】
コリメートレンズ６０は、ハーフミラー２２にて反射されたレーザー光を平行光にする。更に、コリメートレンズ６０は光軸に沿っての変位を可能に設けられている。この様にすることで、温度変化に基づく対物レンズ５２の光学特性の劣化が補正可能となる。
【００４８】
立ち上げミラー６２は、コリメートレンズ６０を透過したレーザー光が入射され、入射されたレーザー光が、ディスク６４の情報記録層に対して直角に進行するように反射する働きを有する。
【００４９】
対物レンズ５２は、立ち上げミラー３３の直上に配置されており、立ち上げミラー３３にて立ち上げられたレーザー光を、ディスク６４の信号記録層に合焦させる働きを有する。
【００５０】
ＡＳ板７３は、ディスク６４にて反射されて各光学素子を通過したレーザー光に対して、サーボ機構のための収差を付与する。
【００５１】
ＰＤＩＣ５０は、光検出器として機能する信号検出用のフォトダイオード集積回路素子であり、ＢＤ用のレーザー光を受光して情報信号成分を含む受光出力を発生すると共に、フォーカスサーボおよびトラッキングサーボに用いられるサーボ信号成分を発生する。
【００５２】
上記第１光学系８０の読み出し動作および書き込み動作は次のとおりである。先ず、レーザー装置５８から放射されたレーザー光は、回折格子５６を通過することで０次回折光、＋１次回折光および−１次回折光に分離される。これは、ＰＤＩＣ５０にてフォーカスサーボおよびトラッキングサーボを行うためのサーボ信号を得るためである。
【００５３】
その後、レーザー光は、ハーフミラー２２にて反射された後に、コリメートレンズ６０により平行光に変換され、立ち上げミラー６２で反射されることによりディスク６４に対して垂直方向に進行する。そして、対物レンズ５２の屈折作用や回折作用により、ディスク６４の信号記録層に合焦する。
【００５４】
ディスク６４の信号記録層により反射されたレーザー光（戻り光）は、対物レンズ５２、立ち上げミラー６２、コリメートレンズ６０を通過してハーフミラー２２に到る。
【００５５】
ハーフミラー２２を透過したレーザー光は、ＡＳ板７３で収差が付与され、ＰＤＩＣ５０に到達する。更に、ＰＤＩＣ５０で情報が読み出されると共に、読み出された情報に基づいてフォーカスサーボおよびトラッキングサーボが行われる。
【００５６】
次に、ＤＶＤ規格およびＣＤ規格のディスクに適用される第２光学系８２を説明する。第２光学系８２の第１光学系８０と共通する部分はその説明を割愛する。
【００５７】
第２光学系８２は、レーザー装置７８と、ハーフミラー７０と、コリメートレンズ７２と、立ち上げミラー３３と、対物レンズ６６と、ＰＤＩＣ７４とを含んでいる。
【００５８】
第２光学系８２と第１光学系８０との相違点は、第２光学系８２が回折格子およびＡＳ板を含まない点になる。従って、第１光学系８０では回折格子５６により回折される３つのレーザー光を用いてサーボ機構が駆動される一方、第２光学系８２ではレーザー装置７８から放射される１つのメインビームのみを用いてサーボ機構が駆動される。更に、サーボ機構の為に必要とされる収差は、第１光学系８０ではＡＳ板７３により付与され、第２光学系８２では光路に対して傾斜して配置されたハーフミラー７０により付与される。
【００５９】
第２光学系８２に於けるディスク６４の読み出し動作および書き込み動作は次の通りである。先ず、レーザー装置７８からはＣＤ規格またはＤＶＤ規格のレーザー光が放射される。レーザー装置７８から放射されたレーザー光は、ハーフミラー７０で反射された後に、コリメートレンズ７２で平行光に変換される。その後、立ち上げミラー３３でディスク６４の情報記録層に対して垂直な方向に反射され、対物レンズ６６によりディスク６４の情報記録層に合焦される。
【００６０】
ディスク６４の情報記録層にて反射した戻り光であるレーザー光は、対物レンズ６６を通過した後に立ち上げミラー３３で反射され、コリメートレンズ７２およびハーフミラー７０を透過してＰＤＩＣ７４の受光面に照射される。ＰＤＩＣ７４で情報が読み出されるとともに、読み出された情報に基づいてフォーカスサーボおよびトラッキングサーボが行われる。
【００６１】
ここで、図２等に示した本発明の特徴部分である溝部３０は、ハーフミラー２２およびハーフミラー７０の何れか一方のみに対応した部分のハウジング１２に設けられても良いし、両方に対して設けられても良い。
【００６２】
＜第２の形態：光ピックアップ装置の製造方法＞
次に、本形態の光ピックアップ装置１０の製造方法を説明する。本発明の光ピックアップ装置１０は、図１に示すように、樹脂材料を一体成型したハウジング１２の内部に複数個の光学素子を固着することで製造される。
【００６３】
ここで、絶縁性接着材を用いて各種光学素子をハウジングに固着すると、この固着工程により数十μｍ程度の実装誤差が発生する。そして、この実装誤差をそのままの状態にしておくと、ＰＤＩＣ（受光素子）の所定箇所にレーザー光が照射されなくなり、光ピックアップ装置による読取動作および書込動作が不安定になる。
【００６４】
これを防止するために、各種光学素子の固着が終了した後に、ＰＤＩＣの位置を所定箇所に補正することが一般的に行われている。具体的には、図１を参照して、レーザー装置等の各種光学素子をハウジング１２に組み込んだ後に、レーザー装置からレーザー光を放射させつつ、内面にＰＤＩＣが固着された固定板１８、２０を所定箇所に移動させる。その後、接着材を介して固定板１８、２０をハウジング１２に固着する。このようにすることで、各種光学素子をハウジング１２に固着する際に発生する実装誤差が、固定板１８、２０の位置調整により吸収され、固定板１８、２０に固着されたＰＤＩＣの所定領域に、レーザー光が照射される。
【００６５】
更に、上記工程が終了した後は、ハウジング１２に固着された各種光学素子の位置確認が行われる。具体的には、図３を参照して、立ち上げミラー３３、６２、ハーフミラー７０、２２の位置及び角度の検査が行われる。この検査にはオートコリメータが使用される。オートコリメータとは、光学素子などの対象面に光を当て、真直度、直角度、平行度、平面度などを測定する計器である。
【００６６】
立ち上げミラー３３の位置確認をオートコリメータで行うのは容易である。この理由は、立ち上げミラー３３の反射面が、ディスク６４の主面に対して所定の角度で外側（例えば４５度）を向いているからである。従って、立ち上げミラー３３で反射されたレーザー光をオートコリメータの受光部で受光することにより、立ち上げミラー３３の位置および角度の確認が可能となる。この位置確認により測定される誤差が所定の範囲以内であれば良品と判定され、この誤差が所定の範囲外であれば不良品と判定され破棄される。この事項は、立ち上げミラー６２に関しても同様である。
【００６７】
一方、ハーフミラー２２の反射面は、図１に示すようにハウジング１２の側面部３６により覆われた状態であるので、ハーフミラー２２の反射面に対してレーザー光を照射してその位置確認を行うことは容易ではない。このことから、本形態では図１（Ｂ）等に示すような溝部３０を経由して、ハーフミラー２２の反射面に外部から確認用のレーザー光を照射している。
【００６８】
図４を参照して、オートコリメータ３８を用いてハーフミラー２２の位置精度を確認する工程を説明する。図４（Ａ）は本工程を示す図であり、図４（Ｂ）はハーフミラー２２が設けられた箇所の光ピックアップ装置１０を示す拡大図である。
【００６９】
図４（Ａ）を参照して、オートコリメータ３８は、計測対象物が載置される台座４０と、アームを経由して台座４０に支持された受発光部４２とを備えている。台座４０の上面には光ピックアップ装置１０の外形に即した形状の凹状領域４４が設けられている。また、受発光部４２には、計測対象物に対して垂直にレーザー光４６を照射する発光部と、計測対象物により反射したレーザー光を受光する受光部とが内蔵されている。レーザー光が発光される発光部と、反射したレーザー光が受光される受光部との位置ずれを計測することにより、計測対象物の傾斜等が算出される。
【００７０】
光ピックアップ装置１０に内蔵されたハーフミラー２２の傾斜の度合いを、オートコリメータ３８を用いて計測する方法は次の通りである。
【００７１】
先ず、図４（Ａ）を参照して、オートコリメータ３８を用意し、この台座４０の上面に形成された凹状領域４４に光ピックアップ装置１０を載置する。凹状領域４４の形状は、光ピックアップ装置１０に設計通りにハーフミラー２２が固着されたら、ハーフミラー２２の反射面がレーザー光４６と垂直となるような形状を呈している。
【００７２】
次に、オートコリメータ３８の受発光部４２の発光部から、光ピックアップ装置１０に向けてレーザー光４６を照射し、光ピックアップ装置１０のハーフミラー２２で反射したレーザー光４６を受発光部４２の受光部で受光する。そして、受発光部４２の内部に於いて、レーザー光４６が発光された発光部と、ハーフミラー２２で反射したレーザー光が受光される受光部との距離を計測し、この距離からハーフミラー２２の傾斜角を算出する。算出されたハーフミラー２２の傾斜角が所定以内であれば良品と見なし、この傾斜角が所定の角度よりも大きければ不良品として破棄する。
【００７３】
図４（Ｂ）を参照して、ハーフミラー２２が据え付けられた角度を確認する本工程を詳述する。先ず、ハーフミラー２２の先端部（紙面上で手前側の端部）である露出部３２は、ハウジング１２の底面部３４から外部に露出している。更に、ハーフミラー２２の露出部３２の上面（反射面）は、溝部３０を経由して上方に露出している。
【００７４】
そして、オートコリメータ３８から下方に放射されたレーザー光４６は、溝部３０を経由してハーフミラー２２の露出部３２の上面に照射される。次に、露出部３２の上面にて反射したレーザー光４６は、溝部３０を経由して、オートコリメータ３８の受発光部４２に到達する。そして、上記したように、レーザー光４６の発光部と受光部との距離から、ハーフミラー２２の基準面４８からの傾きが算出される。
【００７５】
以上の工程によりハーフミラー２２の実装誤差が所定の範囲内であった光ピックアップ装置１０は、他のテスト工程や調整工程を経て、光ピックアップ支持装置や光ディスク装置に組み込まれる。
【００７６】
ここで、以上の説明では、図１を参照してハーフミラー２２をハウジング１２から外部に露出させて計測する場合を説明したが、計測対象物としてはハーフミラー以外のミラーが採用されても良い。
【００７７】
更に、図１（Ａ）に示すハウジング１２のガイド孔１４およびガイド溝１６に、ガイド軸を挿通または係合させ、このガイド軸の両端部を枠状のシャーシで支持することにより、光ピックアップ支持装置が構成される。また、このような構成の光ピックアップ支持装置を、筐体に内蔵させることにより光ディスク装置が構成される。
【符号の説明】
【００７８】
１０   光ピックアップ装置
１２   ハウジング
１４   ガイド孔
１６   ガイド溝
１８   固定板
２０   固定板
２２   ハーフミラー
２４   開口部
２６   開口部
２８   保護部
３０   溝部
３２   露出部
３３   立ち上げミラー
３４   底面部
３６   側面部
３８   オートコリメータ
４０   台座
４２   受発光部
４４   凹状領域
４６   レーザー光
４８   基準面
５０   ＰＤＩＣ
５２   対物レンズ
５６   回折格子
５８   レーザー装置
６０   コリメートレンズ
６２   立ち上げミラー
６４   ディスク
６６   対物レンズ
７０   ハーフミラー
７２   コリメートレンズ
７３   ＡＳ板
７４   ＰＤＩＣ
７８   レーザー装置
８０   第１光学系
８２   第２光学系
【図１】
2011248938.tif 000003
【図２】
2011248938.tif 000004
【図３】
2011248938.tif 000005
【図４】
2011248938.tif 000006
【図５】
2011248938.tif 000007